(57)【要約】【課題】ユーザに煩わしい操作を課さなくとも、ユーザの要望に応じつつ、キャパシタの長寿命化を図る。【解決手段】指紋センサ７０は、センサ面に載置されたユーザの指の指紋画像を取得する。ユーザ特定部１０１は、指紋センサ７０により取得された指紋画像と、指紋画像記憶部１０２に予め記憶された登録指紋画像とを照合して指紋センサ７０に指を載置したユーザを特定する。モード設定部１０３は、モード設定情報を参照し、ユーザ特定部１０１により特定されたユーザに対して設定すべき動作モードを特定し、特定した動作モードに画像形成装置を設定する。【選択図】図２
2008052100.tif 000002
【特許請求の範囲】
【請求項１】
キャパシタと、
前記キャパシタから放電される電力により定着ローラを加熱する第１の加熱装置と商用電源からの電力により前記定着ローラを加熱する第２の加熱装置とを備える定着装置と、
ユーザを識別するためのユーザ識別情報を受け付け、画像形成装置を使用するユーザを特定するユーザ特定手段と、
各ユーザに対し、前記キャパシタの長寿命化を図るためのキャパシタ長寿命モード及び前記定着ローラが所定の定着温度になるまでの立ち上げ時間の短縮化を図るための高速立ち上げモードのいずれのモードを設定すべきかを示すモード設定情報を予め記憶するモード設定情報記憶手段と、
前記ユーザ特定手段により特定されたユーザに対して設定すべきモードを前記モード設定情報から特定し、特定したモードを画像形成装置の動作モードとして設定するモード設定手段とを備えることを特徴とする画像形成装置。
【請求項２】
前記ユーザ識別情報は、ユーザの指紋画像であり、
前記ユーザ特定手段は、
画像形成装置を使用するユーザの指紋画像を取得する指紋センサと、画像形成装置を使用するユーザの指紋画像を予め記憶する指紋画像記憶手段とを備え、前記指紋画像記憶手段に記憶された指紋画像と前記指紋センサにより取得された指紋画像とを照合して画像形成装置を使用するユーザを特定することを特徴とする請求項１記載の画像形成装置。
【請求項３】
前記モード設定手段により設定された動作モードを報知する報知手段を更に備えることを特徴とする請求項１又は２記載の画像形成装置。
【請求項４】
前記報知手段は、前記モード設定手段により設定された動作モードに応じて予め定められたキャパシタの寿命期間を報知することを特徴とする請求項３記載の画像形成装置。
【請求項５】
前記報知手段は、前記モード設定手段により設定された動作モードに応じて、前記定着ローラが定着温度に到達するまでの予め定められた立ち上がり時間を報知することを特徴とする請求項３又は４記載の画像形成装置。
【発明の詳細な説明】
【技術分野】
【０００１】
本発明は、トナーを記録紙に定着させる定着装置を有する画像形成装置に関するものである。
【背景技術】
【０００２】
近年、定着装置に２つのヒータを設け、一方のヒータを商用電源からの電力で加熱し、他方のヒータをキャパシタに蓄えられた電力により加熱することで、定着ローラの温度を速やかに所定の定着温度にまで上昇させ、立ち上げ時間の短縮化を実現することができる画像形成装置が知られている。このような画像形成装置においては、キャパシタの充放電回数を少なくし、キャパシタの長寿命化を図ることが課題となっている。
【０００３】
特許文献１には、定着ローラの温度が室温よりも高く、定着ローラの温度の立ち上げ時にキャパシタからヒータへフルに電力を供給する必要がない場合は、キャパシタを満充電まで充電しないことにより、キャパシタの長寿命化を図る画像形成装置が開示されている。
【０００４】
ところで、画像形成装置を使用するユーザとして、立ち上げ時間の短縮化よりもキャパシタの長寿命化を優先するユーザするユーザも存在する。
【特許文献１】特開２００４−３０３５１８号公報
【発明の開示】
【発明が解決しようとする課題】
【０００５】
しかしながら、特許文献１の画像形成装置では、定着ローラの温度が定着温度より低い場合は、キャパシタは満充電され、この場合、キャパシタの劣化が大きくなってしまい、キャパシタの長寿命化を優先するユーザの要望に答えることができない。また、印刷を開始する毎にユーザに対して、高速立ち上げを優先するか、キャパシタの長寿命化を優先させるかの要望を入力させるとユーザへの負担が増大する。
【０００６】
本発明の目的は、ユーザに煩わしい操作を課さなくとも、ユーザの要望に応じつつ、キャパシタの長寿命化を図ることができる画像形成装置を提供することである。
【課題を解決するための手段】
【０００７】
本発明による画像形成装置は、キャパシタと、前記キャパシタから放電される電力により定着ローラを加熱する第１の加熱装置と商用電源からの電力により前記定着ローラを加熱する第２の加熱装置とを備える定着装置と、ユーザを識別するためのユーザ識別情報を受け付け、画像形成装置を使用するユーザを特定するユーザ特定手段と、各ユーザに対し、前記キャパシタの長寿命化を図るためのキャパシタ長寿命モード及び前記定着ローラが所定の定着温度になるまでの立ち上げ時間の短縮化を図るための高速立ち上げモードのいずれのモードを設定すべきかを示すモード設定情報を予め記憶するモード設定情報記憶手段と、前記ユーザ特定手段により特定されたユーザに対して設定すべきモードを前記モード設定情報から特定し、特定したモードを画像形成装置の動作モードとして設定するモード設定手段とを備えることを特徴とする。
【０００８】
この構成によれば、ユーザを識別するためのユーザ識別情報を受け付けて、画像形成装置を使用するユーザが特定され、特定されたユーザに対してキャパシタ長寿命モードを設定するようにモード設定情報に示されている場合は、キャパシタ長寿命モードが設定され、特定されたユーザに対して高速立ち上げモードを設定するようにモード設定情報に示されている場合は、高速立ち上げモードが設定される。そのため、立ち上げ時間の短縮化を希望するユーザに対しては、高速立ち上げモードを設定し、立ち上げ時間の短縮化を希望しないユーザに対しては、キャパシタ長寿命モードを設定することが可能となり、ユーザの要望に応じつつ、キャパシタの長寿命化を図ることができる。更に、ユーザは印刷を開始する前にキャパシタ長寿命モード及び高速立ち上げモードを設定するための操作を入力する手間が省け、ユーザへの手間を軽減させることができる。また、高速立ち上げの使用を制限することで、キャパシタの充放電回数が減少し、キャパシタの長寿命化を図ることができる。
【０００９】
また、前記ユーザ識別情報は、ユーザの指紋画像であり、前記ユーザ特定手段は、画像形成装置を使用するユーザの指紋画像を取得する指紋センサと、画像形成装置を使用するユーザの指紋画像を予め記憶する指紋画像記憶手段とを備え、前記指紋画像記憶手段に記憶された指紋画像と前記指紋センサにより取得された指紋画像とを照合して画像形成装置を使用するユーザを特定することが好ましい。
【００１０】
この構成によれば、指紋認証によりユーザが特定されているため、ユーザを精度よく特定することできることに加えて、ユーザ識別情報が書き込まれたＩＣカード等をユーザに携帯させなくても、ユーザ認証を行うことができ、ユーザへの手間が軽減される。
【００１１】
また、前記モード設定手段により設定された動作モードを報知する報知手段を更に備えることが好ましい。
【００１２】
この構成によれば、設定された動作モードがユーザに報知されるため、ユーザは設定された動作モードを容易に認識することができる。
【００１３】
また、前記報知手段は、前記モード設定手段により設定された動作モードに応じて予め定められたキャパシタの寿命期間を報知することが好ましい。
【００１４】
この構成によれば、ユーザは、自己に対して設定された動作モードにおけるキャパシタの寿命期間を認識することができる。
【００１５】
また、前記報知手段は、前記モード設定手段により設定された動作モードに応じて、前記定着ローラが定着温度に到達するまでの予め定められた立ち上がり時間を報知することが好ましい。
【００１６】
この構成によれば、ユーザは、自己に対して設定された動作モードにおける定着ローラが定着温度に到達するまでの立ち上がり時間を認識することができ、印刷に費やされる時間を事前に把握することができる。
【発明の効果】
【００１７】
本発明によれば、立ち上げ時間の短縮化を希望するユーザに対しては、高速立ち上げモードを設定し、立ち上げ時間の短縮化を希望しないユーザに対しては、キャパシタ長寿命モードを設定することが可能となり、ユーザの要望に応じつつ、キャパシタの長寿命化を図ることができる。更に、ユーザは印刷を開始する前にキャパシタ長寿命モード及び高速立ち上げモードを設定するための操作を入力する手間が省け、ユーザへの手間を軽減させることができる。
【発明を実施するための最良の形態】
【００１８】
以下、図面を参照しつつ本発明の実施の形態について説明する。図１は、本発明の実施の形態による画像形成装置の機械的構成を主に示す側面概略図である。本実施の形態による画像形成装置は、本体部２００と、本体部２００の左側に配設された用紙後処理部３００と、ユーザが種々の操作指令等を入力するための操作部４００と、本体部２００の上部に配設された原稿読取部５００と、原稿読取部５００の上方に配設された原稿給送部６００とから構成される。
【００１９】
操作部４００は、表示パネル４０１、スタートキー４０２及びテンキー４０３等を備える。表示パネル４０１は、タッチパネルから構成され、種々の操作画像を表示する。スタートキー４０２は、ユーザがコピーを開始する操作指令を入力するために用いられ、テンキー４０３は、印刷部数等を入力するために用いられる。
【００２０】
原稿給送部６００は、原稿載置部６０１、原稿排出部６０２、給紙ローラ６０３、原稿搬送部６０４、及びコンタクトガラス６０５等を備え、原稿読取部５００は、イメージセンサ５０１等を備える。給紙ローラ６０３は、原稿載置部６０１にセットされた原稿を繰り出し、原稿搬送部６０４は、繰り出される原稿を１枚ずつ順にイメージセンサ５０１上に搬送する。
【００２１】
イメージセンサ５０１は搬送される原稿を順次読取り、読取られた原稿は原稿排出部６０２に排出される。また、イメージセンサ５０１は、コンタクトガラス６０５に載置された原稿を読取る場合は、Ａ方向にスライドして原稿を読取る。
【００２２】
本体部２００は、複数の給紙カセット２０１、複数の給紙ローラ２０２、転写ローラ２０３、感光体ドラム２０４、露光装置２０５、現像装置２０６、定着ローラ２０８、排出口２０９、排出トレイ２１０、及び記録紙搬送部２１１等を備える。
【００２３】
感光体ドラム２０４は、矢印方向に回転しながら帯電装置（図示省略）によって一様に帯電される。露光装置２０５は、原稿読取部５００において読取られた原稿の画像データに基づいて生成された変調信号をレーザ光に変換して出力し、感光体ドラム２０４に静電潜像を形成する。現像装置２０６は、現像剤を感光体ドラム２０４に供給してトナー像を形成する。
【００２４】
一方、給紙ローラ２０２は、記録紙が収納された給紙カセット２０１から記録紙を引き出し、記録紙搬送部２１１は、引き出された記録紙を転写ローラ２０３へと搬送する。転写ローラ２０３は、搬送された記録紙に感光体ドラム２０４上のトナー像を転写させる。トナー像が転写された記録紙は、記録紙搬送部２１１により定着ローラ２０８へと搬送され、定着ローラ２０８は、転写されたトナー像を加熱して記録紙に定着させる。その後、記録紙は、記録紙搬送部２１１により排出口２０９へと搬送され用紙後処理部３００に搬入される。また、記録紙は、必要に応じて排出トレイ２１０へも排出される。
【００２５】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２６】
図２は、本実施の形態による画像形成装置のブロック図を示している。本実施の形態による画像形成装置は、制御部１０、加熱制御部２０、定着装置３０、操作表示部４０、スキャナ部５０、印刷部６０、及び指紋センサ７０を備えている。
【００２７】
加熱制御部２０は、整流回路２１、充電部２２、キャパシタ２３、放電部２４、駆動回路２５、及びサーミスタ２６を備える。
【００２８】
整流回路２１は、例えばダイオードブリッジ回路及び平滑コンデンサを備え、商用電源８０の電源端子Ｔ１と電源端子Ｔ２との間に接続され、商用電源８０から供給される交流電圧を全波整流し、全波整流した交流電圧を平滑化して直流電圧を生成し、充電部２２に出力する。
【００２９】
充電部２２は、例えばＤＣ／ＤＣコンバータから構成され、整流回路２１から出力される直流電圧を、キャパシタ２３の充電に適したレベルの直流電圧に昇圧又は降圧し、キャパシタ２３を充電する。
【００３０】
更に、充電部２２は、例えばキャパシタ２３の電圧を測定し、測定した電圧が所定の満充電電圧を示す場合、整流回路２１から出力される直流電圧のキャパシタ２３への供給を遮断し、キャパシタ２３の充電を終了する。なお、本実施の形態において、充電部２２がキャパシタ２３を残容量０の状態から満充電状態にするまでに要する時間は約３分である。
【００３１】
キャパシタ２３は、直列接続された２つの電気二重層キャパシタから構成され、充電部２２から出力される直流電圧によって充電され、充電した電圧をヒータ３１，３２（第１の加熱装置）に出力し、ヒータ３１，３２を発熱させる。ここで、キャパシタ２３は、充放電回数が増大するにつれて劣化する特性を有している。なお、図２ではキャパシタ２３を構成する電気二重層キャパシタの個数を２つとしたが、これに限定されず、電気二重層キャパシタの個数を１つとしてもよいし、３つ以上としてもよく、用途に応じて適宜変更すればよい。
【００３２】
放電部２４は、例えば定電圧回路から構成され、キャパシタから出力される放電電圧からヒータ３１，３２の駆動に適したレベルの定電圧を生成し、ヒータ３１，３２に出力し、ヒータ３１，３２を発熱させる。
【００３３】
駆動回路２５は、例えばＡＣ／ＡＣコンバータから構成され、電源端子Ｔ１，Ｔ２間に接続され、商用電源８０からの交流電圧を、ヒータ３３，３４（第２の加熱装置）の駆動に適したレベルの交流電圧に変換して、ヒータ３３，３４に出力し、ヒータ３３，３４を発熱させる。
【００３４】
サーミスタ２６は、定着ローラ２０８の温度を検出し、検出した温度の大きさに応じたレベルの電圧を制御部１０に出力する。
【００３５】
定着装置３０は、ヒータ３１〜３４を備える。ヒータ３１，３２は、並列接続され、キャパシタ２３から出力される電圧によって発熱し、定着ローラ２０８を加熱する。ヒータ３３，３４は、並列接続され、商用電源８０から出力される交流電圧によって発熱し、定着ローラ２０８を加熱する。
【００３６】
操作表示部４０は、図１に示す操作部４００から構成され、表示制御部１０５の制御の下、種々の画像を表示する。スキャナ部５０は、図１に示す原稿読取部５００から構成され、原稿を読み取る。印刷部６０は、図１に示す転写ローラ２０３、感光体ドラム２０４、露光装置２０５、及び現像装置２０６から構成され、スキャナ部５０により読み取られた原稿を記録紙に印刷する。指紋センサ７０は、静電容量センサから構成され、センサ面に載置されたユーザの指の指紋を表す画像（指紋画像）を取得し、制御部１０に出力する。
【００３７】
制御部１０は、例えばＣＰＵ、ＲＯＭ、ＲＡＭ、及び専用のハードウェア回路から構成され、画像形成装置の全体を制御し、ユーザ特定部１０１、指紋画像記憶部１０２、モード設定部１０３、モード設定情報記憶部１０４、及び表示制御部１０５を備える。
【００３８】
ユーザ特定部１０１は、指紋センサ７０により取得された指紋画像と、指紋画像記憶部１０２に予め記憶されたユーザの指紋画像である登録指紋画像とを照合することでユーザを特定する。具体的には、ユーザ特定部１０１は、パターンマッチング法を用いて、指紋センサ７０により取得された指紋画像と、指紋画像記憶部１０２に予め記憶された各登録指紋画像との相関値を求め、求めた相関値が規定値以上である登録指紋画像のユーザを、画像形成装置を使用するユーザとして特定する。ここで、相関値が規定値以上である登録指紋画像が複数存在する場合は、相関値が最大の登録指紋画像のユーザを、画像形成装置を使用するユーザとして特定する。
【００３９】
指紋画像記憶部１０２は、画像形成装置の使用が許可されている各ユーザの指紋画像であって予め取得された指紋画像である登録指紋画像と、各登録指紋画像に対応するユーザ名とを関連付けて記憶する。
【００４０】
モード設定部１０３は、画像形成装置の動作モードを設定する。動作モードとしては、キャパシタ長寿命モード及び高速立ち上げモードが存在する。キャパシタ長寿命モードは、キャパシタ２３の長寿命化を図るモードである。高速立ち上げモードは、定着ローラ２０８を定着温度にするまでの立ち上がり時間の短縮化を図るモードである。
【００４１】
ここで、モード設定部１０３は、ユーザ特定部１０１により特定されたユーザに対して予め定められた設定すべきモードを示すモード設定情報を用いて、動作モードを設定する。図３は、モード設定情報のデータ構造を示した図である。モード設定情報は、ユーザ及びモードの欄を備える。ユーザの欄には、画像形成装置を使用するユーザのユーザ名が記憶されている。モードの欄には、画像形成装置の使用が許可された各ユーザに対して、設定すべき動作モードが記憶されている。図３の例では、ユーザＡのモードは高速立ち上げモードであるため、モード設定部１０３は、ユーザ特定部１０１によりユーザＡが特定された場合、高速立ち上げモードを動作モードとして設定する。また、ユーザＢのモードはキャパシタ長寿命モードであるため、モード設定部１０３は、ユーザ特定部１０１によりユーザＢが特定された場合、キャパシタ長寿命モードを動作モードとして設定する。モード設定情報記憶部１０４は、図３に示すモード設定情報を記憶する。
【００４２】
表示制御部１０５は、モード設定部１０３により、動作モードとしてキャパシタ長寿命モードが設定された場合、そのことを示す情報を操作表示部４０に表示させる。また、表示制御部１０５は、モード設定部１０３により、動作モードとして高速立ち上げモードが設定された場合、そのことを示す情報を操作表示部４０に表示させる。更に、表示制御部１０５は、高速立ち上げモード又はキャパシタ長寿命モードに設定したときにおける、定着ローラ２０８を定着温度にするまでの予め定められた立ち上げ時間と、予め定められたキャパシタ２３が寿命になるまでの寿命期間とを操作表示部４０に表示させる。
【００４３】
なお、寿命期間は、動作モードを長寿命モードに設定して画像形成装置を使用し続けた場合におけるキャパシタ２３の寿命期間を示し、経験的に得られた値が採用されている。また、立ち上げ時間も経験的に得られた値が採用されている。
【００４４】
次に、本実施の形態による画像形成装置の動作について図４のフローチャートを用いて説明する。まず、指紋センサ７０は、センサ面に載置されたユーザの指の指紋画像を取得すると（ステップＳ１でＹＥＳ）、処理をステップＳ２に進め、指紋画像を取得しない場合（ステップＳ１でＮＯ）、処理をステップＳ１に戻す。
【００４５】
次に、ユーザ特定部１０１は、指紋画像記憶部１０２に記憶された各登録指紋画像と、指紋センサ７０により取得された指紋画像との相関値を求め、相関値が規定値以上の登録指紋画像が存在する場合（ステップＳ２でＹＥＳ）、その登録指紋画像にユーザ名が関連付けられたユーザを指紋センサ７０に指を載置したユーザとして特定する（ステップＳ３）。一方、ユーザ特定部１０１は、相関値が規定値以上である登録指紋画像が存在しなかった場合（ステップＳ２でＮＯ）、処理を終了させる。この場合、モード設定部１０３は、動作モードとして、例えばキャパシタ長寿命モードをする。これにより、キャパシタ２３の充放電回数が減り、キャパシタ２３の長寿命化を図ることができる。
【００４６】
ステップＳ４において、モード設定部１０３は、ユーザ特定部１０１により特定されたユーザに対して設定すべき動作モードを、モード設定情報を参照して特定し、特定したモードを画像形成装置の動作モードとして設定する。
【００４７】
次に、表示制御部１０５は、モード設定部１０３により設定された動作モードを操作表示部４０に表示させると共に、モード設定部１０３により設定された動作モードに応じて予め定められたキャパシタ２３の寿命期間と、定着ローラ２０８が定着温度になるまでの予め定められた立ち上がり時間とを操作表示部４０に表示させる（ステップＳ５）。
【００４８】
次に、操作表示部４０により印刷を開始する操作指令が受け付けられると（ステップＳ６でＹＥＳ）、制御部１０は、定着ローラ２０８の加熱を開始し（ステップＳ７）、定着ローラ２０８の温度が定着温度にまで上昇すると、スキャナ部５０は原稿を読み取り原稿の画像データを取得し、印刷部６０は画像データを記録紙に印刷する（ステップＳ８）。一方、制御部１０は、印刷を開始する操作指令を受け付けない場合（ステップＳ６でＮＯ）、処理をステップＳ６に戻す。
【００４９】
ステップＳ７を具体的に説明すると、制御部１０は、モード設定部１０３によりキャパシタ長寿命モードが設定されている場合は、駆動回路２５に商用電源８０のヒータ３３，３４への供給を開始させ、ヒータ３３，３４を加熱させる。この場合、制御部１０は、放電部２４にキャパシタ２３を放電させない。これにより、定着ローラ２０８は、ヒータ３３，３４のみから加熱されることになり、定着温度になるまでの時間が長くなる。一方、キャパシタ２３は放電されないため、キャパシタ２３の充放電回数が減少し、キャパシタ２３の長寿命化を図ることができる。
【００５０】
また、ステップＳ７において、制御部１０は、モード設定部１０３により高速立ち上げモードが設定されている場合は、放電部２４にキャパシタ２３の放電を開始させてヒータ３１，３２を加熱させると共に、駆動回路２５に商用電源８０からの交流電力のヒータ３３，３４への供給を開始させ、ヒータ３３，３４を加熱させる。これにより、定着ローラ２０８は、ヒータ３３，３４に加えてヒータ３１，３２からも加熱され、速やかに定着温度に到達することが可能となり、ユーザが印刷開始を指示してから印刷が終了するまでの時間の短縮化を図ることができる。
【００５１】
そして、制御部１０は、印刷が終了すると、高速立ち上げモードが設定されている場合、キャパシタ２３の残容量が０になっているため、充電部２２にキャパシタ２３の充電を開始させ、キャパシタ２３を満充電状態にする。一方、制御部１０は、キャパシタ長寿命モードが設定されている場合、印刷が終了すると、キャパシタ２３が満充電状態にあるため、充電部２２にキャパシタ２３を充電させない。
【００５２】
以上説明したように、本画像形成装置によれば、指紋センサ７０は、センサ面に載置されたユーザの指の指紋画像を取得する。ユーザ特定部１０１は、指紋センサ７０により取得された指紋画像と、指紋画像記憶部１０２に予め記憶された登録指紋画像とを照合して指紋センサ７０に指を載置したユーザを特定する。モード設定部１０３は、モード設定情報を参照し、ユーザ特定部１０１により特定されたユーザに対して設定すべき動作モードを特定し、特定した動作モードに画像形成装置を設定する。
【００５３】
そのため、立ち上げ時間の短縮化を希望するユーザに対しては、高速立ち上げモードを設定し、キャパシタの長寿命化を希望するユーザに対しては、キャパシタ長寿命モードを設定することが可能となり、ユーザの要望に応じつつ、キャパシタの長寿命化を図ることができる。更に、ユーザは印刷を開始する前にキャパシタ長寿命モード及び高速立ち上げモードを設定するための操作を入力する手間が省け、ユーザへの負担の軽減を図ることができる。
【００５４】
なお、上記実施の形態では、ユーザ特定部１０１は、指紋画像を用いてユーザを特定したが、これに限定されず、ユーザにユーザ識別情報が記憶されたＩＣカード等の携帯可能な記録媒体を携帯させ、記録媒体に記憶されたユーザ識別情報を読み出し、ユーザに対して設定すべき動作モードを特定してもよい。この場合、指紋センサ７０に代えて、ＩＣカードリーダ等の記録媒体読取装置を用いればよい。こうすることで、ユーザを特定する処理の簡便化を図ることができる。
【００５５】
なお、本実施の形態では、キャパシタ２３として電気二重層キャパシタを用いたがこれは一例であり、他のキャパシタを採用してもよい。
【図面の簡単な説明】
【００５６】
【図１】本発明の実施の形態による画像形成装置の機械的構成を主に示す側面概略図である。
【図２】本実施の形態による画像形成装置のブロック図を示している。
【図３】モード設定情報のデータ構造を示した図である。
【図４】本実施の形態による画像形成装置の動作を示すフローチャートである。
【符号の説明】
【００５７】
１０  制御部
２０  加熱制御部
２１  整流回路
２２  充電部
２３  キャパシタ
２４  放電部
２５  駆動回路
２６  サーミスタ
３０  定着装置
３１，３２  ヒータ
３３，３４  ヒータ
４０  操作表示部
５０  スキャナ部
６０  印刷部
７０  指紋センサ
８０  商用電源
１０１  ユーザ特定部
１０２  指紋画像記憶部
１０３  モード設定部
１０４  モード設定情報記憶部
１０５  表示制御部
【図１】
2008052100.tif 000003
【図２】
2008052100.tif 000004
【図３】
2008052100.tif 000005
【図４】
2008052100.tif 000006